(57)【要約】【課題】一部の入力キーについては入力の可否を切り替えることができるようにするとともに、入力が可能であるか不可であるかを明示できるようにする。【解決手段】キーボード２の一部の入力キー２ａはオンとオフの切替えが可能な表示素子を備えている。入力可否切替手段６は、入力キー２ａのキー入力を可能にするときはその入力キー２ａの表示素子を点灯するとともにキー入力検出手段４によるその入力キー２ａの入力の受付を可能にし、入力キー２ａのキー入力を不可にするときはその入力キー２ａの表示素子の点灯を消すとともにキー入力検出手段４によるその入力キー２ａの入力の受付を不能にすることによりキー入力が可能な状態であるか不可の状態であるかを切り替える。【選択図】  図１
2004206327.tif 000002
【特許請求の範囲】
【請求項１】
分析装置にパラメータなどのデータを入力するためのキーボード（２）と、そのキーボード（２）のキー入力を検出するキー入力検出手段（４）を備えたキー入力装置において、
前記キーボード（２）の一部の入力キー（２ａ）はオンとオフの切替えが可能な表示素子を備え、
前記入力キー（２ａ）のキー入力を可能にするときはその入力キー（２ａ）の表示素子を点灯するとともに前記キー入力検出手段（４）によるその入力キー（２ａ）の入力の受付を可能にし、前記入力キー（２ａ）のキー入力を不可にするときはその入力キー（２ａ）の表示素子の点灯を消すとともに前記キー入力検出手段（４）によるその入力キー（２ａ）の入力の受付を不能にすることによりキー入力が可能な状態であるか不可の状態であるかを切り替える入力可否切替手段（６）を備えたことを特徴とするキー入力装置。
【請求項２】
前記入力可否切替手段（６）は、外部入力信号により前記入力キー（２ａ）の入力可否の状態を切り替えることができるものである請求項１に記載のキー入力装置。
【請求項３】
前記入力可否切替手段（６）は、前記キーボード（２）中の特定の入力キー（２ｃ）からの入力信号により前記入力キー（２ａ）の入力可否の状態を切り替えることができるものである請求項１又は２に記載のキー入力装置。
【発明の詳細な説明】
【０００１】
【発明の属する技術分野】
本発明はクロマトグラフその他の分析装置において、分析条件などを入力したり、動作を指示したりするために使用されるキー入力装置に関するものである。
【０００２】
【従来の技術】
分析装置のキー入力装置は、常に入力が可能であることが一般的である。特別なモードとして、使用状況によってすべてのキー入力を不可にする「全キークローズ」モードを備えたものがあるが、特定の一部の入力キーに関して入力可能と不可を切り替えるような機能を備えたものはない。
【０００３】
また、分析装置がネットワークに接続され、パーソナルコンピュータやシステムコントローラといったホストコンピュータの制御下に置かれてその分析装置がスレーブ装置となったときでもキー入力機能は変化しないのが通常である。
【０００４】
【発明が解決しようとする課題】
分析装置によっては常に全ての入力キーが入力可能な状態であることが好都合であるとは限らず、使用状況によっては一部の入力キーについては誤って押されると不都合が生じることがある。そのような事態を避けるためには、仮に入力キーが押されても入力が受け付けられないような禁止状態とする方が好都合な場合もある。
【０００５】
そこで本発明は分析装置のキー入力装置において、一部の入力キーについては入力の可否を切り替えることができるようにするとともに、入力が可能であるか不可であるかを明示できるようにすることを目的とするものである。
【０００６】
【課題を解決するための手段】
本発明は、分析装置にパラメータなどのデータを入力するためのキーボードと、そのキーボードのキー入力を検出するキー入力検出手段を備えたキー入力装置を対象とするものである。そして、そのキーボードの一部の入力キーはオンとオフの切替えが可能な表示素子を備え、それらの入力キーのキー入力を可能にするときはその入力キーの表示素子を点灯するとともにキー入力検出手段によるその入力キーの入力の受付を可能にし、入力キーのキー入力を不可にするときはその入力キーの表示素子の点灯を消すとともにキー入力検出手段によるその入力キーの入力の受付を不能にすることによりキー入力が可能な状態であるか不可の状態であるかを切り替える入力可否切替手段を備えたことを特徴としている。
【０００７】
一部の入力キーについては、その入力キーに備えられている表示素子が点灯しているときはその入力キーによって入力動作が可能であり、その入力キーに備えられている表示素子が点灯していないときはその入力キーによる入力動作が不可であることがわかる。そして、表示素子が点灯していない入力キーを誤って押してもその入力は受け付けられないので、不都合が生じることはない。
【０００８】
入力可否切替手段が入力キーの入力可否の状態を切り替えるのは、外部入力信号によるようにすることもできるし、キーボード中の特定の入力キーからの入力信号によるものとすることもできるし、両方によるとすることもできる。
【０００９】
【発明の実施の形態】
図１は本発明を液体クロマトグラフのＵＶ（紫外線）検出器の入力装置に適用した実施例を示している。
キーボード２には入力の可否が切り替えられるキー２ａの他に、常時入力が可能になっているキー２ｂと、キー２ａの入力可否の切替えを行うことのできる特定のキー２ｃが配列されている。キー２ａにはテンキーの他、幾つかのファンクションキーが含まれる。キー２ｂは主としてファンクショクキーである。キー２ｃは例えば、Ｎｕｍ（ニューメラル）キーである。
【００１０】
ＵＶ検出器のＣＰＵ１０にはキーボード２のキー入力を検出するキー入力検出手段４と、キー２ａの入力可否を切り替える入力可否切替え手段６が備えられている。キー入力検出手段４と入力可否切替え手段６は、ＣＰＵ１０の機能として実現されている。
【００１１】
入力可否切替え手段６はＮｕｍキー２ｃのキー入力と外部のシステムコントローラ１２などからの外部入力のいずれによっても、入力キー２ａの可否を切り替えることができるようになっている。
【００１２】
図２は複数台の液体クロマトグラフがシステムコントローラ１２に接続されたネットワークを示している。１４−１〜１４−ｎはそれぞれの液体クロマトグラフのＵＶ検出器であり、各ＵＶ検出器１４−１〜１４−ｎそれぞれが図１に示されたキーボード２とＣＰＵ１０を備えている。システムコントローラ１２にはホストコンピュータとしてパーソナルコンピュータ１６が接続され、パーソナルコンピュータ１６によりこのネットワーク全体を制御できるようになっている。
【００１３】
図３はキーボードの一例を示したものである。（Ａ）はその平面図で、（Ｂ）はテンキーの一部を示したものである。破線で示された左側３列の１５個のキーは入力可否を切り替えることができるキーであり、右端の列の５個のキーは常に入力可能なキーである。
【００１４】
これらのキーのうち、２ｃで示されるＭｕｍキーは、入力可否切替え手段６につながって、左側３列の１５個のキーの入力可否の状態を切り替えるための入力キーである。その他のファンクションキーについて説明すると、ｐｏｌキー２０はポラリティーを示し、極性切替えを行うキーである。ｓｃａｎキー２２はスペクトル走査の開始を入力するキーである。ｄｕａｌキー２４は二波長モード切替えを指示するキーである。Ｚｅｒｏキー２６はゼロ補正を指示するキー、Ｍａｒｋキー２８はプロット信号にマーカー信号を入れることを指示するキー、ＶＰキー３０はＶｐメニューを開く入力キー、Ｒｕｎキー３２はタイムプログラムの開始を指示する入力キーである。
【００１５】
破線で示された入力可否切替え可能なキーには表示素子としてＬＥＤ（発光ダイオード）が内蔵されており、そのＬＥＤは入力可能な状態にあるときは点灯し、不可の状態のときは消される。そのＬＥＤの点灯は入力可否切替え手段６により切り替えられる。
【００１６】
入力可否が切り替えられるキーは、（Ｂ）に示されるように、文字が抜き文字となって、ＬＥＤが点灯した時に文字の部分が光って入力可能であることを知らせるようになっている。
【００１７】
図４は点灯が切り替えられるキーの構造を示したものである。プリント基板４０にキー接点４２とＬＥＤ４４が配置されており、キー接点４２とＬＥＤ４４上に半透明のゴムパッド４６を介してその上に不透明なシートにテンキーの文字やファンクションの文字が抜き文字で表示されたシート４８が配置されてキーが構成されている。
【００１８】
このキーが入力可能のときはＬＥＤ４４が点灯され、半透明のゴムパッド４６を通して光が導かれることにより、文字の部分が光る。キーを押すとキー接点４２が閉じ、キー入力検出手段４によりそのキーの入力が検出される。
【００１９】
ＬＥＤ４４の点灯が消えているときは、それらの入力キーについては可否切替え手段６によりキー入力検出手段４の受付が禁止されているので、それらのキーを押しても入力は受け付けられない。
【００２０】
次に、この実施例の動作を図５のフローチャートを参照して説明する。
液体クロマトグラフの電源を投入すると、初期状態として全キーの入力が可能な状態となり、図３の破線で示されたキーは点灯している。この液体クロマトグラフがネットワークに接続されホストコンピュータからの通信リンクが確立してスレーブ状態となったときは、ホストコンピュータから制御されるようになり、入力可否切替え手段６により破線のキーが入力不可とされ、それらのキーのＬＥＤの点灯が消される。その場合でも、図３（Ａ）の右列５個のファンクションキー２６,２８，３０，３２，２ｃは入力可能の状態を維持する。
【００２１】
ホストコンピュータとの通信リンクが切れると、この液体クロマトグラフが独立したものとなり、再び全てのキーの入力が可能となる。
【００２２】
図５には示されていないが、ホストコンピュータとの通信リンクが確立されているときでも、Ｎｕｍキー２ｃが押されると、図３（Ａ）の破線で示されたキーの入力可否の切替えが優先して行われる。
【００２３】
【発明の効果】
本発明によれば、分析装置のキー入力装置のキーのうち、使用状況によっては変更してはいけないときにテンキーや特定のファンクションキーを入力受付禁止の状態にできるため、誤ってキーが押されることによる誤操作を防ぐことができる。
また、入力可否が切り替えられるキーが入力可能であるか不可であるかは、それらのキーの表示素子の点灯により判断できるので、操作性が向上する。
【図面の簡単な説明】
【図１】液体クロマトグラフのＵＶ検出器の入力装置に適用した実施例を示すブロック図である。
【図２】同実施例のＵＶ検出器を備えた複数台の液体クロマトグラフがシステムコントローラに接続されたネットワークを示すブロック図である。
【図３】同実施例におけるキーボードの一例を示す図で、（Ａ）はキー配列を示す平面図、（Ｂ）は一部のテンキーを拡大して示す平面図である。
【図４】１つの入力キーを示す断面図である。
【図５】一実施例の動作を示す断面図である。
【符号の説明】
２      キーボード
２ａ    入力の可否が切り替えられるキー
２ｂ    常時入力可能なキー
２ｃ    Ｎｕｍキー
４      キー入力検出手段
６      入力可否切替え手段
１０      ＣＰＵ
１２      システムコントローラ
【図１】
2004206327.tif 000003
【図２】
2004206327.tif 000004
【図３】
2004206327.tif 000005
【図４】
2004206327.tif 000006
【図５】
2004206327.tif 000007